(57)【特許請求の範囲】
【請求項１】
波付管の端部の外面に周方向に沿って形成された互いに平行な凸条部間に嵌入されて、前記波付管の端部が挿入され接続される管継手の筒状の接続口と前記波付管との隙間を周方向の全体に渡って止水する波付管接続部の止水具であって、
硬質材からなる分割体で形成され、前記波付管の凸条部間に周方向に沿って嵌入される芯材と、
前記芯材の外面において少なくとも前記波付管の隣接する凸条部間の外面及び前記管継手の接続口の内面と対向する箇所に設けられた、水を吸収する水膨潤性シートとからなり、
前記芯材は、前記管継手の接続口に前記波付管の端部が挿入された状態で、前記水膨潤性シートを、前記波付管の凸条部間の外面とで、及び前記管継手の接続口の内面とで挟圧する剛性を備え、
前記水膨潤性シートは、前記芯材の周方向の全体に渡って設けられたことを特徴とする波付管接続部の止水具。
【請求項２】
前記管継手の接続口に前記波付管の端部が挿入されたときに前記波付管の隣接する凸条部間の外面及び前記管継手の接続口の内面に圧接される箇所は、圧縮代だけ余剰に外方に突出していることを特徴とする請求項１に記載の波付管接続部の止水具。
【請求項３】
前記波付管の凸条部の側壁と対向する側面は、該凸条部の側壁の傾斜角度に合致する傾斜面に形成されていることを特徴とする請求項１または請求項２に記載の波付管接続部の止水具。
【請求項４】
前記各芯材が互いに周方向の端面において当接する当接面に、前記波付管の凸条部間に嵌入された状態で互いに圧接する水膨潤性シートが更に設けられたことを特徴とする請求項１乃至請求項３のいずれかに記載の波付管接続部の止水具。
【請求項５】
外面に周方向に沿って互いに平行な凸条部が形成された波付管の端部と、前記波付管の端部が挿入され接続される管継手の筒状の接続口と、前記接続口内に挿入された前記波付管の端部と該接続口との隙間を周方向の全体に渡って止水する止水具とを備えた波付管接続部の止水構造であって、
前記止水具は、硬質材からなる分割体で形成され、前記波付管の凸条部間に周方向に沿って嵌入される芯材と、水を吸収する水膨潤性シートとからなり、
前記水膨潤性シートは、前記芯材の外面において少なくとも前記波付管の隣接する凸条部間の外面及び前記管継手の接続口の内面と対向する箇所に設けられ、
前記芯材は、前記管継手の接続口に前記波付管の端部が挿入された状態で、前記水膨潤性シートを、前記波付管の凸条部間の外面とで、及び前記管継手の接続口の内面とで挟圧する剛性を備えたことを特徴とする波付管接続部の止水構造。
【請求項６】
外面に周方向に沿って互いに平行な凸条部が形成された波付管の端部と、
前記波付管の端部が挿入され接続される管継手の筒状の接続口と、
前記接続口内に挿入された前記波付管の端部と該接続口との隙間を周方向の全体に渡って止水する請求項１乃至請求項４のいずれかに記載の止水具と
を備えたことを特徴とする波付管接続部の止水構造。
【発明の詳細な説明】
【技術分野】
【０００１】
本発明は、地中に埋設されたりするケーブル、電線、通信線等の配線や給水管、給湯管等の配管材を内部に収容して保護する波付管と、この波付管の端部が挿入され接続される管継手の筒状の接続口との隙間を止水する、波付管接続部の止水具及び止水構造に関するものである。
【背景技術】
【０００２】
前記配線や配管材を内部に収容して保護する保護管である波付管は、地中に埋設されていたりする場合、波付管の端部と、この端部が接続される管継手の筒状の接続口との隙間は、外部から水が浸入しないよう防水性が要求される。ここで、前記波付管は、外面に周方向に沿って互いに平行な凸条部が形成されたものなどがあり、前記管継手は、筒状の内面が平滑面に形成されたものなどがある。前記隙間は、波付管の端部の外面と管継手の接続口の内面との間に存在する。波付管の外面と管継手の接続口の内面との隙間を水密状態にして止水するものとして、例えば、特開２００２−３１０３５９公報に掲載の波付管の端部構造が開示されている。
【０００３】
図１１は前記公報に掲載の波付管の端部構造を示し、図１１において、管継手である接続用ソケット４１は、波付管４２と直管４３とを接続するものである。波付管４２は内層４２ａが平滑で外層４２ｂに凸条部４２ｃと凹条部４２ｄとが交互に平行に連続して形成されている。波付管４２の端部外周には、接続用ソケット４１の受口４１ａが外挿され、波付管４２の挿入端から１番目の凹条部４２ｄには合成ゴム製のＯリング４４が装着され、隣接する２番面の凹条部４２ｄには抜止リング４５が装着されており、これにより、接続用ソケット４１の受口４１ａは波付管４２に抜け止め可能に水密状に接続され、波付管４２の外面と接続用ソケット４１の受口４１ａの内面との隙間内に外部から水が浸入するのが防止される。
【特許文献１】特開２００２−３１０３５９公報
【発明の開示】
【発明が解決しようとする課題】
【０００４】
しかし、前記公報に掲載の波付管の端部構造において、Ｏリング４４は、合成ゴム製であって柔軟性を有し、接続用ソケット４１の受口４１ａの内面との摩擦力が大きいため、接続用ソケット４１の受口４１ａ内に波付管４２の端部を挿入し接続する際、大きな挿入抵抗、摺動抵抗を受け、円滑に挿入できず、手間がかかっていた。そのため、波付管４２の接続時には、Ｏリング４４にシリコンオイルなどの潤滑油を塗布する必要もあった。また、Ｏリング４４は、全体が柔軟で形状が不安定であるため、接続の際の挿入時に、接続用ソケット４１の受口４１ａの内面との摩擦力による挿入抵抗、摺動抵抗を受けて波付管４２の凹条部４２ｄから抜脱してしまうことがあった。
【０００５】
更に、接続用ソケット４１は硬質塩化ビニル樹脂製であって寸法的ばらつきは小さいものの、波付管４２は寸法公差が大きく寸法的ばらつきが比較的大きいところ、Ｏリング４４は前述のように全体が柔軟で形状が不安定であることから、全体形状が大きく崩れて波付管４２の凹条部４２ｄの定位置に常に一定形状で安定して保持されているとは限らない。このため、Ｏリング４４と接続用ソケット４１の受口４１ａとの間或いはＯリング４４と波付管４２との間で十分な圧接力を確保できないことがあり、隙間における止水が不十分となることがあった。そして、Ｏリング４４が波付管４２の凹条部４２ｄの定位置に安定して保持されているかを外部から確認することもできないため、接続用ソケット４１の受口４１ａと波付管４２との隙間における止水が不十分であったときにこれらの管体内への外部の汚れた水が浸入したことに気づかず、継続して使用されることにより隙間内への浸水量が増大し、被害が拡大することがあった。
【０００６】
そこで、本発明は、外面に周方向に沿って互いに平行な凸条部が形成された波付管に取付けられた状態で管継手の接続口に安定して円滑かつ楽に挿入できるとともに、波付管の端部の外面と管継手の接続口の内面との隙間を確実に止水できる、波付管接続部の止水具及び止水構造の提供を課題とするものである。
【課題を解決するための手段】
【０００７】
請求項１の波付管接続部の止水具は、波付管の端部の外面に周方向に沿って形成された互いに平行な凸条部間に嵌入されて、前記波付管の端部が挿入され接続される管継手の筒状の接続口と前記波付管との隙間を周方向の全体に渡って止水するものであって、硬質材からなる分割体で形成され、前記波付管の凸条部間に周方向に沿って嵌入される芯材と、前記芯材の外面において少なくとも前記波付管の隣接する凸条部の外面及び前記管継手の接続口の内面と対向する位置に設けられた、水を吸収する水膨潤性シートとからなる。そして、前記芯材は、前記管継手の接続口に前記波付管の端部が挿入された状態で、前記水膨潤性シートを、前記波付管の凸条部間の外面とで、及び前記管継手の接続口の内面とで挟圧する剛性を備え、前記水膨潤性シートは、前記芯材の周方向の全体に渡って設けられている。
【０００８】
前記止水具は、地中に埋設されるなどして配管された波付管がハンドホールなどの管継手との接続部において、地中などの水が波付管と管継手の接続口との隙間から管内に浸入するのを防止すべく前記隙間を水密状態とするものである。この波付管は、内部に配線、配管材を収容して保護する保護管であり、外面に周方向に沿って互いに平行な凸条部が形成され、合成樹脂等で形成されている。管継手は一般に硬質合成樹脂で形成され、その接続口の内面は平滑面に形成されている。前記止水具は、波付管の端部の外面の平行な凸条部間に外側から嵌め込まれる。
【０００９】
前記止水具は、波付管の周方向に沿って凸条部間に嵌入される芯材と、水を吸収する水膨潤性シートとからなる。前記芯材は、管継手の接続口に波付管の端部が挿入された状態で、前記水膨潤性シートを、自身と波付管の隣接する凸条部間の外面とで、及び自身と管継手の接続口の内面とで挟んで圧接する剛性を備えている。したがって、芯材は、通常、硬質合成樹脂等で形成されており、硬質で全体的に形状が安定している。ここで、前記波付管の隣接する凸条部間の外面とは、凸条部の側壁面及び凸条部間である凹条部の底壁面が該当する。また、芯材は、波付管の隣接する凸条部間の対向する外面との挟圧においては、水膨潤性シートを、対向する外面の双方とにおいて挟圧してもよく、対向する外面のいずれか一方とにおいて挟圧してもよい。
【００１０】
一方、前記水膨潤性シートは圧縮性、弾力性を有し、吸水して膨潤する性質を備え、不織布、織布、発泡樹脂等で形成されている。このうち、特に不織布は滑性を有して滑り易く、圧縮され易いので、止水具を嵌入した波付管を円滑に管継手の接続口に挿入し接続することができ、水膨潤性シートとして最適である。水膨潤性シートは水を吸収し、膨潤するので、止水効果を高める。即ち、水膨潤性シートが芯材に設けられていない場合は、止水具は硬質の芯材のみで形成されるため、波付管の凸条部の外面や、硬質の管継手の接続口の内面との当接面には僅かな隙間を生じ易く、水密性は不完全となる。しかし、芯材の外面に水膨潤性シートが設けられているので、その圧縮性、弾力性により、波付管の凸条部の外面や、硬質の管継手の接続口の内面に圧縮されてこれらの面に密接するとともに、水が隙間に浸入してきたときにそれを吸収して膨潤するため、より密接力が増大し、水密性が向上する。水膨潤性シートは、芯材の周方向の全体に渡って設けられているので、管体の周方向の全体に渡って止水される。ここで、芯材の周方向とは、芯材の断面における周方向ではなく、波付管の外周に対応した芯材全体としての周方向を意味する。
【００１１】
止水具は、分割体で形成されているから、波付管の管軸に直交して外側から凸条部間に嵌入することができ、一般には、２分割体として２方向から嵌入することができる。勿論、これに限られるものではなく、止水具は３個以上の分割体としてもよいし、２つの分割体の端部をヒンジ等で回動自在に連結して一体化したものとしてもよい。
【００１２】
請求項２の波付管接続部の止水具は、管継手の接続口に波付管の端部が挿入されたときに波付管の隣接する凸条部間の外面及び管継手の接続口の内面に圧接される箇所が、圧縮代だけ余剰に外方に突出している。ここで、「圧縮代」は、水膨潤性シートのみに設けられていてもよく、或いは、芯材とともに設けられていてもよく、要するところ、止水具全体として設けられていればよい。
請求項３の波付管接続部の止水具は、波付管の凸条部の側壁と対向する側面が、該凸条部の側壁の傾斜角度に合致する傾斜面に形成されている。
【００１３】
請求項４の波付管接続部の止水具は、各芯材が互いに周方向の端面において当接する当接面に、波付管の凸条部間に嵌入された状態で互いに圧接する水膨潤性シートが更に設けられたものである。止水具は、前述のように、分割体として、波付管の管軸に直交して外側から凸条部間に嵌入することができるが、その際、各分割体の周方向の当接面における止水性を高めるべくこの当接面にも水膨潤性シートを設けたものである。ここで、各芯材の周方向の当接面に設けられる水膨潤性シートは、芯材の外面において前記波付管の凸条部及び前記管継手の接続口の内面と対向する位置に設けられる前述の水膨潤性シートと同一材質のものであるのが製作面、コスト面等から望ましいが、異なる材質のものであってもよい。
【００１４】
請求項５の波付管接続部の止水構造は、外面に周方向に沿って互いに平行な凸条部が形成された波付管の端部と、前記波付管の端部が挿入され接続される管継手の筒状の接続口と、前記接続口内に挿入された前記波付管の端部と該接続口との隙間を周方向の全体に渡って止水する止水具とを備えたものであって、前記止水具は、硬質材からなる分割体で形成され、前記波付管の凸条部間に周方向に沿って嵌入される芯材と、水を吸収する水膨潤性シートとからなる。そして、前記水膨潤性シートは、前記芯材の外面において少なくとも前記波付管の隣接する凸条部間の外面及び前記管継手の接続口の内面と対向する箇所に設けられ、前記芯材は、前記管継手の接続口に前記波付管の端部が挿入された状態で、前記水膨潤性シートを、前記波付管の凸条部間の外面とで、及び前記管継手の接続口の内面とで挟圧する剛性を備えている。
請求項６の波付管接続部の止水構造は、外面に周方向に沿って互いに平行な凸条部が形成された波付管の端部と、前記波付管の端部が挿入され接続される管継手の筒状の接続口と、前記接続口内に挿入された前記波付管の端部と該接続口との隙間を周方向の全体に渡って止水する請求項１乃至請求項４のいずれかに記載の止水具とを備えたものである。
【発明の効果】
【００１５】
請求項１、請求項５及び請求項６の発明は、止水具の芯材が、硬質材からなる分割体で形成され、波付管の隣接する凸条部間の外面とで、及び管継手の接続口の内面とで水膨潤性シートを挟圧する剛性を備えているので、止水具を波付管の凸条部間に円滑かつ安定して嵌入でき、また、嵌入した波付管を管継手に円滑かつ楽に挿入することができるとともに、形状が安定しているため、波付管の凸条部間から抜脱することなく確実に挿入して接続することができる。そして、芯材の外面に設けられた水膨潤性シートは、圧縮性、弾力性を有し、かつ水を吸収し、膨潤するので、管継手の接続口への接続後、波付管の凸条部間の外面及び管継手の接続口の内面に圧接されるとともに、波付管と管継手の接続口との隙間に浸入してきた水を吸収し、かつ膨潤することによってより強く圧接される。その結果、前記隙間の水密性を確保でき、確実に止水できる。
【００１６】
請求項２の発明は、波付管の隣接する凸条部間の外面及び管継手の接続口の内面に圧接される箇所が、圧縮代だけ余剰に外方に突出しているので、止水具は、前記外面及び内面により強く圧接され、止水効果が増す。
請求項３の発明は、波付管の凸条部の側壁と対向する側面が、該凸条部の側壁の傾斜角度に合致する傾斜面に形成されているので、止水具の側部全体が波付管の凸条部の側壁に密接し、止水面積が増して止水効果が増大する。
請求項４の発明は、分割体で形成された各芯材の周方向の当接面に水膨潤性シートが更に設けられているから、各分割体の周方向の当接面における止水を確実に行なうことができる。
【発明を実施するための最良の形態】
【００１７】
以下、本発明の実施形態の波付管接続部の止水具及び止水構造を図１乃至図５に基づいて説明する。ここで、図１は本発明の実施形態の止水具を示し、図２は止水具の芯材を示し、図３及び図４は止水具が貼着される波付管及びこの波付管が接続される管継手の接続口を示し、図５は止水の状態を示す。
図１乃至図５において、止水具１は、図４に示す地中に埋設されたハンドホール３１のコンクリート壁３２に一側端部が埋設された管継手２１の接続口２３と、この接続口２３に挿入、接続された波付管１１との隙間Ｓから地中の水がこれらの管体の内部に浸入するのを防止すべく該隙間Ｓを止水するものである。止水具１は、波付管２１の端部の周方向に沿って凸条部１２間に外方から嵌入される芯材２と、芯材２の外面に貼着され、水を吸収する水膨潤性シート３とからなる。これらの止水具１、波付管１１の端部及び管継手２１の接続口２３は、波付管１１の止水構造を構成する。
【００１８】
まず、前記波付管１１は、内部に配線、配管材を収容して保護する保護管であり、地中に埋設されている。この波付管１１は、図４に示すように、外面に周方向に沿って互いに平行な凸条部１２が形成され、その凸条部１２間は凹条部１５となっている。即ち、波付管１１の外面は凸条部１２と凹条部１５とが長手方向に交互に形成されており、凸条部１２は僅かに傾斜する側壁１３と平坦な頂壁１４とを備え、凸条部１２間である凹条部１５は底部に底壁１６を備えている。前記凸条部１２の側壁１３の外面及び凹条部１５の底壁１６の外面は請求項の隣接する凸条部１２間の外面に該当する。波付管１１は合成樹脂により断面四角形状に形成され、可撓性を有する。
【００１９】
次に、前記管継手２１は、図３乃至図５に示すように、硬質合成樹脂により形成され、両端が開口している。管継手２１は、ハンドホール３１のコンクリート壁３２に埋設される埋設部２２と、コンクリート壁３２の一方側の面からこれに直交して外方に突出する接続口２３とで構成されている。接続口２３は波付管１１の外径寸法、形状に対応して四角筒状に形成されているとともに、内壁は平滑面で形成され、開口から内部に波付管１１が挿入、接続されるようになっている。埋設部２２と接続口２３との連結部には段部２４が形成され、波付管１１はこの段部２４に突き当たるまで挿入可能となっている。接続口２３の上壁及び底壁には内外に貫通する直状の係合溝孔２５が形成されており、この係合溝孔２５には、それぞれ後述する抜止リング３３の側部３４が弾性的に嵌入し、これにより、接続口２３に挿入、接続された波付管１１が抜け外れないようになっている。
【００２０】
次に、本発明の止水具１は、図１に示すように、芯材２に水膨潤性シート３が貼着されてなり、中間部１ａと両側部１ｂとによって全体が略コ字板状に形成され、左右対称であるとともに、各断面形状も左右対称に形成されている。止水具１は波付管１１の凸条部１２間に嵌入されたとき、波付管１１の半周部分に取着され、左右一対の２個を嵌入することにより波付管１１の全周部分に取着されることとなる。つまり、止水具１は波付管１１の全周に対して２分割された分割体の形態となっている。ここで、止水具１は全体が左右対称であるとともに各断面形状も左右対称に形成されているので、反転することにより左右を入れ替えることができ、したがって、１個を共用して左右のいずれにも任意に配設することができる。
【００２１】
まず、止水具１の芯材２は、図２に示すように、ポリプロピレン等の硬質合成樹脂で形成され、管継手２１の接続口２３に波付管１１の端部が挿入された状態で、水膨潤性シート３を、この芯材２と波付管１１の凸条部１２とで挟圧し、及びこの芯材２と管継手２１の接続口２３の内面２３ａとで挟圧する剛性を備えている。芯材２の外周面２ａは、波付管１１の凸条部１２の頂壁１４の外面形状、外形寸法にほぼ合致する形状、大きさに形成されている。また、両側面２ｂには周方向に沿って３本の細溝２ｄが平行に形成されている。そして、両側面２ｂは傾斜面に形成されている、具体的には、細溝２ｄの両側に隣接して周方向に形成された、外周面２ａ側から２番目と３番目の突条２ｅの突端面２ｆが、止水具１の内部側に向かうに従って突出量が僅かに小さくなる傾斜面に形成されているとともに、この傾斜面は波付管１１の凸条部１２の両側壁１３の僅かに傾斜している傾斜面と合致する傾斜角度に形成されている。芯材２の内周面２ｃは、波付管１１の凹条部１５の底面に対応して平坦面に形成されている。
【００２２】
次に、水膨潤性シート３は、芯材２の外面において波付管１１の凸条部１２の側壁１３及び管継手２１の接続口２３の内面２３ａと対向する箇所、即ち、図２において、芯材２の外周面２ａ及び両側面２ｂに貼着され、かつ芯材２の周方向の全体に渡って貼着されている。更に、水膨潤性シート３は、芯材２の周方向の当接面２ｇ、即ち波付管１１の凸条部１２間に嵌入された状態で左右の芯材２が互いに当接し、圧接する端面にも貼着されている。水膨潤性シート３は一定厚さの不織布からなる１枚のシート材が接着剤や両面接着テープによる接着等の手段により芯材２の外周面２ａ及び両側面２ｂ更には周方向の当接面２ｇに一体に貼着されている。不織布は、圧縮性、弾力性、滑性を有し、吸水して膨潤する性質を有する。ここで、芯材２の両側面２ｂは、止水具１の内部側に向かうに従って芯材２の幅が僅かに小さくなる傾斜面に形成されているから、その側面２ｂに貼着された水膨潤性シート３も傾斜し、その傾斜角度は波付管１１の凸条部１２の両側壁１３の傾斜面と合致する大きさに形成されている。したがって、芯材２の両側面２ａに貼着された水膨潤性シート３は、止水具１が波付管１１の凸条部１２間に嵌入されたとき、芯材２の両側面２ｂに貼着された部分のほぼ全体が波付管１１の凸条部１２の両側壁１３に密接することとなる。
【００２３】
更に、水膨潤性シート３は、所定の厚さを有し、この水膨潤性シート３が貼着されている止水具１の幅は、波付管１１の凸条部１２間に嵌入されていない状態において、波付管１１の凹条部１５の幅より僅かに大きく形成されている。即ち、止水具１は、その幅方向において水膨潤性シート３が圧縮代だけ余剰に側方に突出している。また、止水具１は、波付管１１が管継手２１の接続口２３に接続されていない状態において、図１(c)に示す両側部１ｂの外側寸法Ｌ１が図５(a)に示す管継手２１の接続口２３の内側寸法Ｌ２より僅かに大きく形成されており、高さ方向に（Ｌ１−Ｌ２）／２に相当する圧縮代だけ水膨潤性シート３が余剰に外方に突出している。このため、水膨潤性シート３は、止水具１を波付管１１の凸条部１２間に嵌入し、波付管１１を管継手２１の接続口２３に接続した状態において、強い圧接力で、芯材２と波付管１１の凸条部１２とで挟圧され、及び芯材２と管継手２１の接続口２３の内面２３ａとで挟圧される。なお、前記各圧縮代は水膨潤性シート３の圧縮量のみでなく、芯材２の弾性変形による圧縮量が含まれていてもよい。
【００２４】
次に、上記のように構成された止水具１を波付管１１の凸条部１２間に嵌入し、波付管１１を管継手２１の接続口２３に接続する作業について説明する。
まず、図３に示すように、左右一対の止水具１を左右の外方から波付管１１の凸条部１２間即ち凹条部１５内に嵌入する。このとき、止水具１は芯材２の両側面２ｂに貼着されている部分の水膨潤性シート３が圧縮代だけ余剰に外方に突出しているので、波付管１１の凸条部１２の側壁１３と圧接し摺動抵抗を受けるが、それに抗して嵌入する。ここで、止水具１の両側部１ｂの傾斜面は波付管１１の凸条部１２の側壁１３の傾斜面と合致する傾斜角度に形成されており、止水具１は波付管１１の両側の凸条部１２の側壁１３を押し広げるようにして嵌入され、内周面２ｃが波付管１１の凹条部１５の底面またはその近傍に到達する。この嵌入により、止水具１は一対となって波付管１１の全周に至って取着される。併せて、図３に示す、一部に切欠を有し全体が略馬蹄形状に形成された合成樹脂製の抜止リング３３の左右両側部３４を弾性的に両側方に拡開しながら波付管１１の別の位置の凸条部１２間に嵌入する。
【００２５】
一対の止水具１，１及び抜止リング３３を波付管１１の凸条部１２間に嵌入したら、図４に示すように、波付管１１の端部を管継手２１の接続口２３から挿入し、先端が埋設部２２と接続口２３との連結部の段部２４に当接するまで押し込む。このとき、止水具１は芯材２の外周面２ａに貼着されている部分の水膨潤性シート３が圧縮代だけ余剰に外方に突出しているので、管継手２１の接続口２３の内面２３ａと圧接し摺動抵抗を受けるが、それに抗して挿入する。なお、抜止リング３３は、波付管１１の端部が管継手２１の接続口２３に挿入されるに従い、波付管１１の凸条部１２の頂壁１３より外方に突出している、湾曲形成された両側部３４が管継手２１の接続口２３の内面２３ａに押圧されて弾性的に波付管１１の凹条部１５内に格納され、波付管１１は管継手２１の接続口２３内に進入可能となる。そこで、抜止リング３３は接続口２３の外壁に設けられた係合溝孔２５内に到達すると、湾曲形成された両側部３４が弾性的に開放されて係合溝孔２５内に嵌入し、係止されて波付管１１は抜け止め状態となる。これにより、管継手２１の接続口２３への波付管１１の接続作業が完了する。
【００２６】
波付管１１の接続が完了すると、止水具１は、図５に示すように、両側部１ｂが波付管１１の凸条部１２の側壁１３に圧接した状態となり、水膨潤性シート３は、芯材２と波付管１１の凸条部１２の側壁１３とで強く挟圧されて圧縮し、また、中間部１ａが管継手２１の接続口２３の内面２３ａに圧接した状態となり、水膨潤性シート３は、芯材２と接続口２３の内面２３ａとで強く挟圧されて圧縮する。したがって、図５(b)の矢印で示すように管継手２１の接続口２３の端部開口から内部に浸入した水は、止水具１の側部１ｂの圧接箇所及び中間部１ａの圧接箇所で遮断され、それ以上波付管１１と管継手２１の接続口２３との隙間Ｓ更には波付管１１及び管継手２１の内部に浸入するのが阻止される。
【００２７】
次に、止水具１の作用を説明する。
止水具１は、波付管１１の凸条部１２間に嵌入される芯材２と、この芯材２の外面に貼着された水膨潤性シート３とで形成されている。ここで、仮に、芯材２が柔軟材で形成され、剛性の小さい材質で形成されていると、波付管１１を管継手２１の接続口２３に挿入する際、管継手２１の接続口２３の内面２３ａの摺動抵抗を受けてこの接続口２３の内面２３ａとの当接部分が変形し易く、一部が接続口２３の内面２３ａと波付管１１の凸条部１２の頂壁１４との隙間Ｓ内にはみ出し食い込んだりして円滑に挿入できないことがある。また、波付管１１を挿入した後においては、芯材２は、波付管１１における凸条部１２の側壁１３との当接部分及び管継手２１の接続口２３の内面２３ａとの当接部分が圧縮されて内部側に後退するのみであり、したがって、水膨潤性シート３を芯材２と波付管１１の凸条部１２の外壁１３とで、及び芯材２と管継手２１の接続口２３の内面２３ａとで強く挟み込んで圧接することはできず、このため、波付管１１と管継手２１の接続口２３との隙間Ｓの止水は不十分となる。
【００２８】
しかし、本実施形態の止水具１は、芯材２が硬質合成樹脂の硬質材で形成され、波付管１１の凸条部１２とで、及び管継手２１の接続口２３の内面２３ａとで水膨潤性シート３を挟圧する剛性を備えているので、管継手２１の接続口２３の内面２３ａから摺動抵抗を受けても当接部分が変形することはなく、加えて、水膨潤性シート３は滑性を有するので、止水具１を嵌入した波付管１１を管継手２１の接続口２３に円滑かつ楽に挿入することができる。また、止水具１は形状が安定しているため、波付管１１の凸条部１２間から抜脱することなく確実に挿入され接続される。更に、上記は波付管１１を管継手２１の接続口２３に挿入する場合を説明したが、止水具１は、芯材２が所定の剛性を備えていることにより、波付管１１の凸条部１２間に嵌入する場合にも円滑かつ確実に行なうことができる。
【００２９】
そして、波付管１１を管継手２１の接続口２３に挿入し接続した後は、芯材２の剛性により、水膨潤性シート３は、芯材２と波付管１１の凸条部１２の側壁１３とで、及び芯材２と管継手２１の接続口２３の内面２３ａとで強く挟み込まれ圧接される。加えて、水膨潤性シート３は、圧縮性、弾力性を有し、圧縮代が余剰に外方に突出しているので、波付管１１の凸条部１２の側壁１３及び管継手２１の接続口２３の内面２３ａにより強く圧接される。また、水膨潤性シート３は、不織布で形成され、水を吸収し、膨潤するので、波付管１１と管継手２１の接続口２３との隙間Ｓに浸入してきた水を吸収し一時的に溜めて保持する。更に、水膨潤性シート３は、水を吸収し膨潤して、波付管１１と管継手２１の接続口２３との隙間Ｓ内に拡張し、これらの壁面に強く圧接される。これにより、譬え波付管１１の凸条部１２の頂壁１４の高さに寸法交差による僅かなばらつきがあっても、その寸法ばらつきは吸収され、止水具１は波付管１１及び管継手２１の接続口２３の壁面に密接する。そして、水膨潤性シート３は、芯材２の周方向の全体に渡って貼着されている。これらの結果、波付管１１の全周に至って、前記隙間Ｓにおける水密性を十分に確保でき、確実に止水できる。
【００３０】
また、２分割体で形成された各芯材２の周方向の当接面２ｇに水膨潤性シート３が更に貼着されているから、各分割体の周方向の当接面２ｇ間の隙間を水密状態とし、この当接部分における止水も確実に行なうことができる。
【００３１】
更に、止水具１は、波付管１１の凸条部１２の側壁１３と対向する側部２ｂが、該凸条部１２の側壁１３の傾斜角度に合致する傾斜面に形成されているので、側部２ｂ全体が波付管１１の凸条部１２の側壁１３に密接し、止水面積を増大させることができ、止水効果が増大する。
【００３２】
そして、水膨潤性シート３は、芯材２の外周面２ａと両側面２ｂとの計３箇所の外面に外側から被覆するように貼着されるので、接着剤や両面接着テープを使用して単に芯材２の外面に被覆し、押圧するだけの簡単な作業で貼着でき、かつ所定箇所に確実に貼着することができる。
加えて、止水具１は、波付管１１を管継手２１に接続する際に使用するものであるから、接続直前まで袋等に保管することができ、使用前の吸水を極力抑えることができる。これにより、接続後の水膨潤性シート３による吸水量が減少するのを防ぎ、吸水能力の低下を抑えることができる。
【００３３】
なお、芯材２の両側面２ｂには細溝２ｄが周方向に沿って形成され、突条２ｅが形成されているので、その凹凸断面形状により、材料コストを低減し、軽量化しつつ芯材２の剛性を大きくすることができる。
【００３４】
ところで、上記実施形態では、左右一対の止水具１は、波付管１１の凸条部１２間に嵌入された状態で周方向の当接面２ｇ相互が当接し、この部分に貼着された水膨潤性シート３が圧接して、両止水具１の当接部における止水が確保されているが、例えば、図６に示すように、両止水具１の当接面２ｇ相互を係合させて連結し、両止水具１を一体に組み付けることにより、両止水具１が互いに隔離するのを防ぐとともに、当接面２ｇにおける水膨潤性シート３の圧接強度をより大きくし、止水性をより高めることもできる。図６において、一方の止水具１の当接面２ｇには、外周面２ａ側の略半分に水膨潤性シート３が貼着され、内周面２ｃ側の略半分には、先端に係合爪２ｉを有する係合突起２ｈが対向する他方の止水具１の当接面２ｇに向けて一体に突設されている。他方の止水具１の当接面２ｇには、同じく外周面２ａ側の略半分に水膨潤性シート３が貼着され、内周面２ｃ側の略半分には、前記一方の止水具１の係合突起２ｈが係合する係合孔２ｊが形成され、奥側には前記係合突起２ｈの係合爪２ｉが係合する爪係合孔２ｋが形成されている。そして、一方の止水具１の反対側の当接面２ｇには反対の係合孔２ｊ及び爪係合孔２ｋが形成され、他方の止水具１の反対側の当接面２ｇには反対の係合突起２ｈが形成されている。したがって、止水具１は２種類用意する必要はない。
【００３５】
また、図７に示すように、一方の止水具１の当接面２ｇにおける内周面２ｃ側の略半分に、嵌合突起２ｌを対向する他方の止水具１の当接面２ｇに向けて一体に突設し、他方の止水具１の当接面２ｇにおける内周面２ｃ側の略半分に、前記嵌合突起２ｌより僅かに小さい開口を有し該嵌合突起２ｌが弾性的に嵌合する嵌合凹部２ｍを形成して、両止水具１を一体に組み付けるものとすることもできる。この止水具１の場合は、嵌合突起２ｌを嵌合凹部２ｍに強制的に嵌合させることにより一体に組み付けられ、各当接面２ｇの水膨潤性シート３同士の圧接力をより大きくすることができるとともに、一旦、波付管１１に嵌入して取着した止水具１を取り外したいときは、マイナスドライバ等の工具の先端部を波付管１１の凸条部１２間にこじ入れたりして両止水具１を離間させ、波付管１１から取り外すことができる。
【００３６】
更に、前記図６及び図７に示した止水具１は、一対を組み付けることで、同時に、図８に示すように、波付管１１の凸条部１２間に圧入して取着することもできる。即ち、止水具１は、断面の上部における幅が少し大きめで図８に示すように高さが小さく、内周面２ｃが波付管１１の凹条部１５の底面またはその近傍まで嵌入されないものであっても、一対が組み付けられることにより、上部の圧接箇所Ｐにおいて波付管１１の凸条部１２の側壁１３に圧接し、波付管１１に安定して取着される。なお、図８における止水具１は、高さを小さくしたものを示しているが、図６及び図７等に示した止水具１と同程度の高さのものであっても、同様に、一対を組み付けることで、同時に波付管１１の凸条部１２間に圧入して取着することができる。
【００３７】
次に、止水具１は波付管１１の凸条部１２の側壁１３及び管継手２１の接続口２３の内面２３ａに圧接されることにより波付管１１と管継手２１の接続口２３との隙間Ｓを止水する。したがって、水膨潤性シート３は、波付管１１の凸条部１２との間では、芯材２において、波付管１１の隣接する凸条部１２間の側壁１３及び底壁１６と対向するいずれの箇所に貼着されていてもよい。図９(a)の止水具１は、水膨潤性シート３が芯材２の両側面２ｂのうち挿入側に貼着されているものを示し、この止水具１の場合には、波付管１１を管継手２１の接続口２３に挿入する際、芯材２から剥がれ難いという効果が得られる。また、図９(b)の止水具１は、水膨潤性シート３が芯材２の両側面２ｂのうち水の浸入側に設けられているものを示し、この止水具１の場合には、上流側で水の浸入を阻止できるという効果が得られる。これらを考慮すると、水膨潤性シート３は、波付管１１の凸条部１２との間では、本実施形態のように、芯材２の両側面２ｂに貼着しておくのが望ましい。この場合は、止水具１をいずれの向きでも波付管１１の凸条部１２間に嵌入できるという効果もある。更に、水膨潤性シート３は、芯材２の外周面２ａ及び内周面２ｃに貼着してもよいし、芯材２の全面に貼着してもよい。水膨潤性シート３を芯材２の全面に貼着した場合は、より剥がれ難い。なお、図９において、矢印は水の浸入方向を示す。
【００３８】
また、上記実施形態の止水具１は、２分割体として波付管１１の管軸に直交して外側から凸条部１２間に嵌入するものであるが、３分割以上の例えば均等な４分割した略Ｌ字状に形成したものとしてもよい。
更に、止水具１は、左右一対の独立した別体で形成されているが、相互をヒンジ等で回動自在に連結し一体化したものとしてもよい。
加えて、止水具１は、波付管１１及び管継手２１の接続口２３の形状に対応させて、一対を組み合わせたとき全体が四角枠形状となるように形成されているが、波付管１１及び管継手２１の接続口２３の形状が円形である場合は、それに対応して全体が円環枠形状に形成される。
そして、波付管１１の凸条部１２の側壁１３と対向する側面２ｂは、該凸条部１２の側壁１３の傾斜角度に合致する傾斜面に形成されているが、これに限られるものではなく、図９(c)に示すように、凸条部１２の側壁１３の傾斜角度と異なっていてもよい。この場合、止水具１の側部１ｂは例えば上部の圧接箇所Ｐにおいて波付管１１の凸条部１２の側壁１３に圧接される。
【００３９】
そして、上記実施形態の芯材２は、両側面２ｂに複数の細溝２ｄが形成されているが、細溝２ｄは形成されていなくてもよく、両側面２ｂは単なる平坦面であってもよい。また、芯材２は、外周面２ａ及び両側面２ｂが、図９(d)に示すように、外方に膨出する湾曲形状に形成されていてもよい。この場合は、止水具１は湾曲面のいずれかの圧接箇所Ｐで管継手２１の接続口２３の内面２３ａ或いは波付管１１の凸条部１２の側壁１３に確実にかつより強く圧接し、止水効果がより大きくなる。更に、図９(e)に示すように、芯材２の外周面２ａ及び両側面２ｂのいずれかの箇所に外方に突出する小突条２ｎを止水具１の周方向に沿って突設してもよい。この場合も、止水具１は管継手２１の接続口２３の内面２３ａ或いは波付管１１の凸条部１２の側壁１３との圧接箇所Ｐにおいて強く圧接するので、止水効果をより大きくすることができる。
【００４０】
更に、上記各実施形態における止水具１は、水膨潤性シート３が接着剤、両面接着テープ等を使用して芯材２に貼着された後、波付管１１の凸条部１２間に嵌入されているが、水膨潤性シート３はこの貼着手段による取着に限られず、他の取着によって芯材２に一体に設けられていてもよい。また、予め一体に設けられたものではなく、図１０に示すように、先に水膨潤性シート３を波付管１１の凸条部１２間にあてがい配置した後、芯材２を水膨潤性シート３の外方から波付管１１の凸条部１２間に嵌入して止水具１を取付け、芯材２と波付管１１の凸条部１２間の外面とで水膨潤性シート３を挟圧するものとしてもよい。この場合、管継手２１の接続口２３においては、水膨潤性シート３は、波付管１１を管継手２１の接続口２３に挿入するに伴って、波付管１１の凹条部１５から外部に突出している幅方向の一端側が管継手２１の接続口２３の内面２３ａによって押圧され、芯材２の外周面２ａと管継手２１の接続口２３の内面２３ａとで挟圧されることとなる。
【００４１】
なお、芯材２は、ポリプロピレン等の硬質合成樹脂で形成されているが、本発明を実施する場合には、金属材、木材などの硬質材で形成してもよい。
また、上記実施形態の水膨潤性シート３は、不織布で形成されているが、これに限られるものではなく、織布、発泡樹脂等で形成することもできる。
更に、水膨潤性シート３は、芯材２の外周面２ａ及び両側面２ｂと、周方向の端面である当接面２ｇとに同一のシートが貼着されているが、それらの間の材質及び厚さを相互に異ならせてもよい。
【００４２】
なお、止水具１は、地中に埋設されたハンドホール３１のコンクリート壁３２に一側端部が埋設された管継手２１の接続口２３に波付管１１の端部が接続されたものに適用しているが、他の管継手２１に接続されるものにも同様に適用することができる。
また、上記実施形態の止水具１は、外部から水が波付管１１の端部と管継手２１の接続口２３との隙間Ｓ内に浸入するのを防止するが、逆に、これらの管体の内部を通流する水が前記隙間Ｓに漏出したときに、その水が更に管外に洩出するのも防止する。
【図面の簡単な説明】
【００４３】
【図１】本発明の実施形態の波付管接続部の止水具を示し、(a)は正面図、(b)は(a)のＡ−Ａ切断線による断面図、(c)は(b)のＢ−Ｂ切断線による断面図である。
【図２】図１の芯材を示し、(a)は正面図、(b)は(a)のＣ−Ｃ切断線による断面図、(c)は(b)のＤ部拡大図である。
【図３】図１の止水具が適用される波付管及び管継手の接続口を示す斜視図である。
【図４】図４の波付管及び管継手を示す側面図である。
【図５】図１の止水具を嵌入した波付管を管継手の接続口に接続したときの止水状態を示し、(a)は一部破断側面図、(b)は要部拡大断面図である。
【図６】本発明の別の実施形態の止水具を示し、(a)は要部の斜視図、(b)は正面図である。
【図７】図６の止水具の変形例を示す要部の斜視図である。
【図８】図６または図７の止水具を嵌入した波付管を管継手の接続口に接続した状態を示す要部拡大断面図である。
【図９】図１の別の変形例の各種止水具を嵌入した波付管を管継手の接続口に接続した状態を示す要部拡大断面図である。
【図１０】図１の別の止水具を波付管の凸条部間に嵌入した状態を示す要部拡大断面図である。
【図１１】従来の波付管接続部の止水具の断面図である。
【符号の説明】
【００４４】
１    止水具
２    芯材
２ａ  外周面
２ｂ  側面
３    水膨潤性シート
１１    波付管
１２    凸条部
１３    側壁
２１    管継手
２３    接続口
２３ａ  内面
Ｓ    波付管と管継手の接続口との隙間
【図１】
0005069822.tif 000002
【図２】
0005069822.tif 000003
【図３】
0005069822.tif 000004
【図４】
0005069822.tif 000005
【図５】
0005069822.tif 000006
【図６】
0005069822.tif 000007
【図７】
0005069822.tif 000008
【図８】
0005069822.tif 000009
【図９】
0005069822.tif 000010
【図１０】
0005069822.tif 000011
【図１１】
0005069822.tif 000012